【手続補正書】
【提出日】平成20年11月25日(2008.11.25)
【手続補正１】
【補正対象書類名】特許請求の範囲
【補正対象項目名】全文
【補正方法】変更
【補正の内容】
【特許請求の範囲】
【請求項１】
画像を撮影する撮影手段と、
前記撮影手段により撮影した画像を、当該画像の撮影情報と共に記録媒体に記録する記録手段と、
画像を選択する画像選択手段と、
前記画像選択手段により選択された画像に対応する撮影情報であって、印刷パラメータに関わる撮影情報を前記記録媒体から読み出し、読み出した撮影情報に基づいて、前記画像を印刷するための印刷パラメータを選択する印刷パラメータ選択手段と、
前記印刷パラメータ選択手段により選択された印刷パラメータを印刷設定画面の初期値として表示する表示制御手段と、
前記印刷設定画面において設定された印刷パラメータを、前記画像選択手段によって選択された画像の印刷パラメータとして設定する印刷パラメータ設定手段とを有することを特徴とするデジタルカメラ。
【請求項２】
前記表示制御手段は、前記印刷パラメータ選択手段により選択された印刷パラメータと他の印刷パラメータとを区別して表示することを特徴とする請求項１に記載のデジタルカメラ。
【請求項３】
画像を撮影する撮影手段と、
前記撮影手段により撮影した画像を、当該画像の撮影情報と共に記録媒体に記録する記録手段と、
画像を選択する画像選択手段と、
前記画像選択手段により選択された画像に対応する撮影情報であって、印刷パラメータに関わる撮影情報を前記記録媒体から読み出し、読み出した撮影情報に基づいて、前記画像を印刷するための印刷パラメータを選択する印刷パラメータ選択手段と、
前記印刷パラメータを設定するための印刷設定画面を表示する表示制御手段と、
前記印刷設定画面において設定された印刷パラメータを、前記画像選択手段によって選択された画像の印刷パラメータとして設定する印刷パラメータ設定手段とを有し、
前記表示制御手段は、前記印刷パラメータ選択手段により選択された印刷パラメータと他の印刷パラメータとを区別して表示することを特徴とするデジタルカメラ。
【請求項４】
前記画像選択手段により選択されている画像が変更されたことに応じて、前記印刷パラメータ選択手段は、新しく選択された画像を印刷するための印刷パラメータを選択することを特徴とする請求項１乃至３のいずれか１項に記載のデジタルカメラ。
【請求項５】
前記画像選択手段により選択されている画像が変更されたことに応じて、前記表示制御手段は、新しく選択された画像を印刷するための印刷パラメータと他の印刷パラメータとを区別する表示に変更することを特徴とする請求項２乃至４のいずれか１項に記載のデジタルカメラ。
【請求項６】
前記表示制御手段は、前記画像選択手段により選択された画像の撮影情報に基づいて選択された印刷パラメータであることを示すマークを付加して表示することを特徴とする請求項２乃至５のいずれか１項に記載のデジタルカメラ。
【請求項７】
印刷装置とのデータの送受信をする通信手段であって、前記印刷装置で使用可能な印刷パラメータのうち推奨される印刷パラメータに関する情報を含む印刷機能情報を受信する通信手段を有し、
前記表示制御手段は、前記通信手段により受信した印刷機能情報に応じて前記印刷装置において推奨される印刷パラメータを決定し、前記推奨される印刷パラメータを、前記印刷パラメータ選択手段により選択された印刷パラメータおよび他の印刷パラメータとは異なるように表示することを特徴とする請求項２乃至６のいずれか１項に記載のデジタルカメラ。
【請求項８】
前記表示制御手段は、前記印刷パラメータ選択手段により選択された印刷パラメータと前記推奨される印刷パラメータとにそれぞれ異なるマークを付加して表示することを特徴とする請求項７に記載のデジタルカメラ。
【請求項９】
前記印刷機能情報は、前記印刷装置で使用可能な印刷パラメータの情報を含んでおり、
前記印刷パラメータ選択手段により選択された印刷パラメータが、前記印刷装置で使用可能な印刷パラメータに含まれていない場合は、前記選択された印刷パラメータが前記印刷装置において使用可能でない旨を警告する警告手段を有することを特徴とする請求項７または８に記載のデジタルカメラ。
【請求項１０】
さらに、前記通信手段により受信した印刷機能情報応じて決定される前記推奨される印刷パラメータまたは前記印刷パラメータ選択手段により選択される印刷パラメータのうち、どちらの印刷パラメータを前記印刷設定画面の初期値として使用するかを選択する初期値設定手段を有することを特徴とする請求項７または８に記載のデジタルカメラ。
【請求項１１】
前記印刷パラメータ選択手段は、前記撮影情報に含まれる画像データの圧縮率に基づいて、印刷品質に関する印刷パラメータを選択することを特徴とする請求項１乃至１０のいずれか１項に記載のデジタルカメラ。
【請求項１２】
前記記録手段は、前記撮影手段による撮影時に被写体のフォーカス合焦位置を記録し、
前記印刷パラメータ選択手段は、前記フォーカス合焦位置に基づいて、印刷範囲に関する印刷パラメータを選択することを特徴とする請求項１乃至１１のいずれか１項に記載のデジタルカメラ。
【請求項１３】
画像を撮影する撮影手段により撮影した画像を、当該画像の撮影情報と共に記録媒体に記録する記録工程と、
画像を選択する画像選択工程と、
前記画像選択工程において選択された画像に対応する撮影情報であって、印刷パラメータに関わる撮影情報を前記記録媒体から読み出し、読み出した撮影情報に基づいて、前記画像を印刷するための印刷パラメータを選択する印刷パラメータ選択工程と、
前記印刷パラメータ選択工程において選択された印刷パラメータを印刷設定画面の初期値として表示する表示制御工程と、
前記印刷設定画面において設定された印刷パラメータを、前記画像選択工程において選択された画像の印刷パラメータとして設定する印刷パラメータ設定工程とを有することを特徴とするデジタルカメラの制御方法。
【請求項１４】
画像を撮影する撮影手段により撮影した画像を、当該画像の撮影情報と共に記録媒体に記録する記録工程と、
画像を選択する画像選択工程と、
前記画像選択工程において選択された画像に対応する撮影情報であって、印刷パラメータに関わる撮影情報を前記記録媒体から読み出し、前記読み出した撮影情報に基づいて、前記画像を印刷するための印刷パラメータを選択する印刷パラメータ選択工程と、
前記印刷パラメータを設定するための印刷設定画面を表示する表示制御工程と、
前記印刷設定画面において設定された印刷パラメータを、前記画像選択工程において選択された画像の印刷パラメータとして設定する印刷パラメータ設定工程とを有し、
前記表示制御工程では、前記印刷パラメータ選択工程で選択された印刷パラメータと他の印刷パラメータとを区別して表示することを特徴とするデジタルカメラの制御方法。
【請求項１５】
記録媒体に記録されている画像の中から印刷対象の画像を選択する画像選択工程と、
前記画像選択工程において選択された画像に対応する撮影情報であって、印刷パラメータに関わる撮影情報を前記記録媒体から読み出し、読み出した撮影情報に基づいて、前記画像を印刷するための印刷パラメータを選択する印刷パラメータ選択工程と、
前記印刷パラメータ選択工程において選択された印刷パラメータを印刷設定画面の初期値として表示する表示制御工程と、
前記印刷設定画面において設定された印刷パラメータを、前記画像選択工程において選択された画像の印刷パラメータとして設定する印刷パラメータ設定工程とをコンピュータに実行させることを特徴とするプログラム。
【請求項１６】
記録媒体に記録されている画像の中から印刷対象の画像を選択する画像選択工程と、
前記画像選択工程において選択された画像に対応する撮影情報であって、印刷パラメータに関わる撮影情報を前記記録媒体から読み出し、前記読み出した撮影情報に基づいて、前記画像を印刷するための印刷パラメータを選択する印刷パラメータ選択工程と、
前記印刷パラメータを設定するための印刷設定画面を表示する表示制御工程であって、前記印刷パラメータ選択工程で選択された印刷パラメータと他の印刷パラメータとを区別して表示する表示制御工程と、
前記印刷設定画面において設定された印刷パラメータを、前記画像選択工程において選択された画像の印刷パラメータとして設定する印刷パラメータ設定工程とをコンピュータに実行させることを特徴とするプログラム。
【請求項１７】
請求項１５または１６に記載のプログラムを記憶したことを特徴とするコンピュータ読み取り可能な記憶媒体。
【手続補正２】
【補正対象書類名】明細書
【補正対象項目名】発明の名称
【補正方法】変更
【補正の内容】
【発明の名称】デジタルカメラ及びその制御方法
【手続補正３】
【補正対象書類名】明細書
【補正対象項目名】０００１
【補正方法】変更
【補正の内容】
【０００１】
本発明はデジタルカメラ、デジタルカメラの制御方法、プログラム及び記憶媒体に関し、特に、記録媒体から画像データを読み出し、所望の印刷パラメータ（用紙サイズ、印刷レイアウト等）とともに画像印刷装置に送信し画像を印刷する印刷システムにおける印刷パラメータの設定方式に用いて好適な技術に関する。
【手続補正４】
【補正対象書類名】明細書
【補正対象項目名】００１０
【補正方法】変更
【補正の内容】
【００１０】
本発明のデジタルカメラは、画像を撮影する撮影手段と、前記撮影手段により撮影した画像を、当該画像の撮影情報と共に記録媒体に記録する記録手段と、画像を選択する画像選択手段と、前記画像選択手段により選択された画像に対応する撮影情報であって、印刷パラメータに関わる撮影情報を前記記録媒体から読み出し、読み出した撮影情報に基づいて、前記画像を印刷するための印刷パラメータを選択する印刷パラメータ選択手段と、前記印刷パラメータ選択手段により選択された印刷パラメータを印刷設定画面の初期値として表示する表示制御手段と、前記印刷設定画面において設定された印刷パラメータを、前記画像選択手段によって選択された画像の印刷パラメータとして設定する印刷パラメータ設定手段とを有することを特徴とする。
また、本発明のデジタルカメラの他の特徴とするところは、画像を撮影する撮影手段と、前記撮影手段により撮影した画像を、当該画像の撮影情報と共に記録媒体に記録する記録手段と、画像を選択する画像選択手段と、前記画像選択手段により選択された画像に対応する撮影情報であって、印刷パラメータに関わる撮影情報を前記記録媒体から読み出し、前記読み出した撮影情報に基づいて、前記画像を印刷するための印刷パラメータを選択する印刷パラメータ選択手段と、前記印刷パラメータを設定するための印刷設定画面を表示する表示制御手段と、前記印刷設定画面において設定された印刷パラメータを、前記画像選択手段によって選択された画像の印刷パラメータとして設定する印刷パラメータ設定手段とを有し、前記表示制御手段は、前記印刷パラメータ選択手段により選択された印刷パラメータと他の印刷パラメータとを区別して表示することを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
本発明のデジタルカメラの制御方法は、画像を撮影する撮影手段により撮影した画像を、当該画像の撮影情報と共に記録媒体に記録する記録工程と、画像を選択する画像選択工程と、前記画像選択工程において選択された画像に対応する撮影情報であって、印刷パラメータに関わる撮影情報を前記記録媒体から読み出し、読み出した撮影情報に基づいて、前記画像を印刷するための印刷パラメータを選択する印刷パラメータ選択工程と、前記印刷パラメータ選択工程において選択された印刷パラメータを印刷設定画面の初期値として表示する表示制御工程と、前記印刷設定画面において設定された印刷パラメータを、前記画像選択工程において選択された画像の印刷パラメータとして設定する印刷パラメータ設定工程とを有することを特徴とする。
また、本発明のデジタルカメラの制御方法の他の特徴とするところは、画像を撮影する撮影手段により撮影した画像を、当該画像の撮影情報と共に記録媒体に記録する記録工程と、画像を選択する画像選択工程と、前記画像選択工程において選択された画像に対応する撮影情報であって、印刷パラメータに関わる撮影情報を前記記録媒体から読み出し、前記読み出した撮影情報に基づいて、前記画像を印刷するための印刷パラメータを選択する印刷パラメータ選択工程と、前記印刷パラメータを設定するための印刷設定画面を表示する表示制御工程と、前記印刷設定画面において設定された印刷パラメータを、前記画像選択工程において選択された画像の印刷パラメータとして設定する印刷パラメータ設定工程とを有し、前記表示制御工程では、前記印刷パラメータ選択工程で選択された印刷パラメータと他の印刷パラメータとを区別して表示することを特徴とする。
【手続補正８】
【補正対象書類名】明細書
【補正対象項目名】００１４
【補正方法】変更
【補正の内容】
【００１４】
本発明のプログラムは、記録媒体に記録されている画像の中から印刷対象の画像を選択する画像選択工程と、前記画像選択工程において選択された画像に対応する撮影情報であって、印刷パラメータに関わる撮影情報を前記記録媒体から読み出し、読み出した撮影情報に基づいて、前記画像を印刷するための印刷パラメータを選択する印刷パラメータ選択工程と、前記印刷パラメータ選択工程において選択された印刷パラメータを印刷設定画面の初期値として表示する表示制御工程と、前記印刷設定画面において設定された印刷パラメータを、前記画像選択工程において選択された画像の印刷パラメータとして設定する印刷パラメータ設定工程とをコンピュータに実行させることを特徴とする。
また、本発明のプログラムの他の特徴とするところは、記録媒体に記録されている画像の中から印刷対象の画像を選択する画像選択工程と、前記画像選択工程において選択された画像に対応する撮影情報であって、印刷パラメータに関わる撮影情報を前記記録媒体から読み出し、前記読み出した撮影情報に基づいて、前記画像を印刷するための印刷パラメータを選択する印刷パラメータ選択工程と、前記印刷パラメータを設定するための印刷設定画面を表示する表示制御工程であって、前記印刷パラメータ選択工程で選択された印刷パラメータと他の印刷パラメータとを区別して表示する表示制御工程と、前記印刷設定画面において設定された印刷パラメータを、前記画像選択工程において選択された画像の印刷パラメータとして設定する印刷パラメータ設定工程とをコンピュータに実行させることを特徴とする。
【手続補正９】
【補正対象書類名】明細書
【補正対象項目名】００１５
【補正方法】変更
【補正の内容】
【００１５】
本発明の記憶媒体は、前記の何れかに記載のプログラムを記憶したことを特徴とする。
【手続補正１０】
【補正対象書類名】明細書
【補正対象項目名】００１６
【補正方法】変更
【補正の内容】
【００１６】
本発明によれば、使用者が印刷パラメータの設定を行わずに適切な印刷パラメータを設定することができる。また、使用者が印刷パラメータを手動で設定する際には、表示された印刷パラメータの初期値を参考にして、使用者が望む印刷パラメータを設定することができる。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】